(57)【要約】【課題】仰向き、横向きのいずれの寝方でも快適に使用することができ、良い姿勢を保って眠ることができる枕の提供。【解決手段】健康安眠整体枕１は、中央の部分１０を、利用者の体格に合わせて高さを低くすると共に、利用者の後頭部の形状に合わせて面タッチで後頭部を抱え込む様に幅方向に湾曲させた後頭部載置用窪み１１を形成し、最も高い部分１２，１３の高さを寝返りを妨げないようにし、頸部に当たる縁部１４，１５をテーパ形状にしてある。また、左右の部分２０，３０は、中央の部分１０よりも高くすると共に、利用者の側頭部の形状に合わせて面タッチで側頭部を抱え込みながら支える様に幅方向に湾曲させた側頭部載置用窪み２１，３１を形成し、利用者が側頭部を載せて体ごと横向きに寝たときに、当該利用者の頸椎骨と脊椎骨がほぼ真っ直ぐになる高さとしてある。【選択図】  図１
0003119790.tif 000002
【実用新案登録請求の範囲】
【請求項１】
仰向き、横向きのいずれの寝方でも快適に使用することのできる枕であって、以下の構成を備えたことを特徴とする健康安眠整体枕。
（１）枕の中央の部分を低くすると共に、利用者の後頭部を面タッチで抱え込みながら支える様に幅方向に湾曲させた後頭部載置用窪みを形成したこと。
（２）枕の左右の部分を、前記中央の部分よりも高くすると共に、利用者の側頭部を面タッチで抱え込みながら支える様に幅方向に湾曲させた側頭部載置用窪みを形成したこと。
（３）前記左右の部分の高さを、前記側頭部載置用窪みに利用者が側頭部を載せて体ごと横向きに寝たときに、当該利用者の頸椎骨と脊椎骨がほぼ真っ直ぐになる高さとしたこと。
（４）前記中央の部分の最も高い部分の高さを頭部の側方への回転を制限しない様に、利用者の側頭部の後ろ寄りの高さとしてあること。
（５）前記中央の部分の頸部に当接する縁部を徐々に高さが低くなるテーパ形状にしたこと。
【請求項２】
さらに、以下の構成をも備えたことを特徴とする請求項１記載の健康安眠整体枕。
（６）内部に詰める中材として、ウレタンチップ集成ゴムによる成形体を用いること。
【請求項３】
さらに、以下の構成をも備えたことを特徴とする請求項１又は２記載の健康安眠整体枕。
（７）前記後頭部載置用窪み及び側頭部載置用窪みの湾曲形状を利用者の頭部の形状に合わせると共に、前記中央の部分及び左右の部分の高さを利用者の体格に合わせたこと。
【考案の詳細な説明】
【技術分野】
【０００１】
本考案は、枕に係り、特に、仰向き、横向きのいずれの寝方でも快適に使用することのできる枕に関する。
【背景技術】
【０００２】
例えば、図７に示す様に、利用者にとって高い枕であるときは、鼾をかきやすく、猫背、頸椎間狭窄症、四十肩、手指のしびれ、睡眠時無呼吸症候群などになりやすいという問題がある。
【０００３】
また、図８に示す様に、低い枕は、仰向きに寝るときは良い姿勢となるが、横向きに寝るときは頸部・肩部・腕部に痛みが出る場合がある。また、仰向きに寝るときも、図９に示す様に、頭だけを横向きにすると寝違えや頸部筋の痛みが出る場合がある。
【０００４】
このため、従来の枕では、図１０の様に、日常下向きで仕事をする人にとっては、体調不良を来すおそれがある。例えば、慢性的な肩こり症や、腰痛はこの様な姿勢の人に多い。
【０００５】
ここで、従来、図１１（Ａ）に示す様に、枕Ｐの上面部Ｕにおいて、中央部１０１に凹１０４を、右側端部１０２との間に右谷部１０５を、左側端部１０３との間に左谷部１０６を設け、真上向頭１７１は凹１０４により軽く支えられて安定し、右を向こうとして軽く力を入れると真上向頭１７１は右谷部１０５に転がり落ちる感覚で無理なく楽に右を向いて右横向頭１７２として安定し、同様に、左を向こうとするときも無理なく、楽に左横向頭１７３にすることで、仰向けにも横向きにも無理なく寝られる様にした枕が提案されている（特許文献１）。 
【０００６】
また、図１１（Ｂ）に示す様に、左隆起枕と右隆起枕との間の中間枕の中央窪み上に後頭部が載り、左向きに寝返りを打った場合に左隆起枕に左側頭部を載せ、右向きに寝返りを打った場合に右隆起枕に右側頭部を載せることができ、２枚重ねの中材袋を採用して中央部を凹状に窪ませ、耳介が圧迫されない様にした枕も提案されている（特許文献２）。
【特許文献１】特開２０００−２５３９７７（００１２，図５）
【特許文献２】特開２００２−１０２０３８（００４５〜００４７，図４）
【考案の開示】
【考案が解決しようとする課題】
【０００７】
しかし、特許文献１の枕は、仰向きに寝るときに高い枕となり、横向きに寝るときに低い枕となるため、上述した問題を解決するものではない。
【０００８】
また、特許文献２の枕は、仰向きに寝るときは低い枕となり、横向きに寝るときは高い枕となるが、横向きに寝ているときに頭が安定せず、特に、枕の外に向かって頭が倒れやすいため、良好な姿勢を保つことができないという問題がある。
【０００９】
そこで、本考案は、仰向き、横向きのいずれの寝方でも快適に使用することができ、特に、良い姿勢を保って眠ることのできる整体的な意味でも効果の得られる枕を提供することを目的とする。
【課題を解決するための手段】
【００１０】
上記目的を達成するためになされた本考案の健康安眠整体枕は、仰向き、横向きのいずれの寝方でも快適に使用することのできる枕であって、以下の構成を備えたことを特徴とする。
（１）枕の中央の部分を低くすると共に、利用者の後頭部を面タッチで抱え込みながら支える様に幅方向に湾曲させた後頭部載置用窪みを形成したこと。
（２）枕の左右の部分を、前記中央の部分よりも高くすると共に、利用者の側頭部を面タッチで抱え込みながら支える様に幅方向に湾曲させた側頭部載置用窪みを形成したこと。
（３）前記左右の部分の高さを、前記側頭部載置用窪みに利用者が側頭部を載せて体ごと横向きに寝たときに、当該利用者の頸椎骨と脊椎骨がほぼ真っ直ぐになる高さとしたこと。
（４）前記中央の部分の最も高い部分の高さを頭部の側方への回転を制限しない様に、利用者の側頭部の後ろ寄りの高さとしてあること。
（５）前記中央の部分の頸部に当接する縁部を徐々に高さが低くなるテーパ形状にしたこと。
【００１１】
上記目的を達成する上で、さらに、以下の構成をも備えるとよい。
（６）内部に詰める中材として、ウレタンチップ集成ゴムによる成形体を用いること。
【００１２】
上記目的を達成する上で、さらに、以下の構成をも備えるとよい。
（７）前記後頭部載置用窪み及び側頭部載置用窪みの湾曲形状を利用者の頭部の形状に合わせると共に、前記中央の部分及び左右の部分の高さを利用者の体格に合わせたこと。
【考案の効果】
【００１３】
本考案によれば、仰向き、横向きのいずれの寝方でも快適に使用することができ、良い姿勢を保って眠ることができるので、頭部を安定させるだけでなく、整体的な意味でも効果も発揮され、健康増進の効果が期待できる。
【考案を実施するための最良の形態】
【００１４】
以下、本考案を具体化した実施形態を図面を参照しながら詳細に説明する。実施形態としての健康安眠整体枕１は、図１，図２に示す様に、中央の部分１０を、利用者の体格に合わせて高さを低くすると共に、利用者の後頭部の形状に合わせて、面タッチで後頭部を抱え込む様に幅方向に湾曲させた後頭部載置用窪み１１を形成してある。また、図２（Ａ）に示す様に、中央の部分１０の最も高い部分１２，１３の高さを頭部の側方への回転を制限しない様に、利用者の側頭部の後ろ寄りの高さとしてある。これにより、後頭部載置用窪み１１は、しっかりと後頭部を抱え込み、理想的な寝姿である仰向きの状態をより安定的に維持できる様にする一方で、寝返りを妨げないようにしているのである。
【００１５】
健康安眠整体枕１の左右の部分２０，３０は、図１，図２に示す様に、中央の部分１０よりも高くすると共に、利用者の側頭部の形状に合わせて、面タッチで側頭部を抱え込みながら支える様に幅方向に湾曲させた側頭部載置用窪み２１，３１を形成してある。また、図２（Ｂ）に示す様に、左右の部分２０，３０の高さを、側頭部載置用窪み２１，３１に利用者が側頭部を載せて体ごと横向きに寝たときに、当該利用者の頸椎骨と脊椎骨がほぼ真っ直ぐになる高さとしてある。これにより、図３，図４に示す様に、横向きの寝姿において、頸椎や脊椎に無理がかからない様になっている。そして、側頭部載置用窪み２１は、比較的安定した状態で側頭部を支えるものの、理想的な寝姿である仰向きの状態に戻り易くなっている。
【００１６】
また、健康安眠整体枕１は、図１（Ｂ）に示す様に、中央の部分１０の頸部に当接する縁部１４を徐々に高さが低くなるテーパ形状にしてある。この結果、仰向きに寝たときに頸部を圧迫することがない。なお、反対側の縁部１５も同様のテーパー形状としているのは、利用者が上下反対に使用してもよい様にしておくためである。
【００１７】
さらに、健康安眠整体枕１は、内部に詰める中材として、ウレタンチップ集成ゴムによる成形体を用いている。また、この中材に、ポリエステル１００％の布地を用いて縫製した外部布材を被せてある。これにより、利用者の頭部形状及び体格に合わせて、後頭部載置用窪み１１でしっかりと後頭部を抱え込み、側頭部載置用窪みでしっかりと側頭部を支え、しかも、横向きに寝たときに利用者の頸椎骨と脊椎骨がほぼ真っ直ぐになる状態を的確に実現することができる。即ち、中材としてウレタンチップ集成ゴムを用いることで、利用者ごとに採寸して専用の枕を製造したとき、型くずれ等による効果の減少を防止することができ、長期間愛用できる健康安眠整体枕１を提供することができている。
【００１８】
この健康安眠整体枕１によれば、最も理想的な寝姿である仰向きの状態を安定して維持することができ、しかもその場合には低い枕として機能すると共に、縁部１４をテーパ形状としたので、頸部に対する圧迫もなく、鼾・猫背・頸椎間狭窄症等の問題を生じ難い。また、この健康枕１によれば、横向きに寝たときには高い枕として機能し、頸椎骨及び脊椎骨がほぼ真っ直ぐになるので、頸部・肩部等に無理がかからない。さらに、この健康枕１によれば、横向きに寝たときもその姿勢を安定させることができる。加えて、仰向き、横向きの状態からの寝返りを妨げることもない。この結果、利用者は安眠することができると共に、寝ているときの姿勢のバランスがよくなり、日常生活における姿勢も、図５に示す様に良好なものとなる。
【００１９】
次に、健康安眠整体枕１の寸法の例を、図６にて、中太りの男性用としての平均的な寸法にて示す。
【００２０】
この例では、枕全体の幅を５８０ｍｍとし、奥行きを２４０ｍｍとし、中央の部分１０の幅Ａを１７０ｍｍ、左右の部分２０，３０の幅を１９０ｍｍずつとし、左右の端の最も高い部分２２，３２の幅を１５ｍｍずつとしている。中央の部分１０の幅は、利用者の後頭部の型取りをして得られた丸身よりも５ｍｍほど大きくすると良い。
【００２１】
左右の部分２０，３０の高さについては、その最も高い部分２２，３２の高さＢを１１０ｍｍ、最も低い部分２３，３３の高さＣを９０ｍｍとしている。また、中央の部分１０の高さについては、最も高い部分１２，１３の高さＤを９５ｍｍ、最も低い部分１６の高さを４０ｍｍとしている。なお、中太りの女性用としての平均的な寸法は、Ｂ＝１０５ｍｍ、Ｃ＝７５ｍｍ、Ｄ＝８０ｍｍ、Ｅ＝３０ｍｍである。
【００２２】
中央の部分１０の縁部１４，１５に形成するテーパ形状の部分の切り込み量Ｆは３０ｍｍである。この寸法は、中太り女性用においてもそのまま採用できる。
【００２３】
以上、考案を実施するための最良の形態としての一実施形態を説明したが、本考案は、これに限定されるものではなく、その要旨を逸脱しない範囲内における種々の変更が可能である。
【図面の簡単な説明】
【００２４】
【図１】実施形態の健康安眠整体枕を示し、（Ａ）は正面図、（Ｂ）は平面図である。
【図２】実施形態の健康安眠整体枕の使用状況を示す正面図である。
【図３】実施形態の健康安眠整体枕で左向きの横向きに寝て使用している状況を示し、（Ａ）は平面図正面図、（Ｂ）は右側面図である。
【図４】実施形態の健康安眠整体枕で右向きの横向きに寝て使用している状況を示し、（Ａ）は平面図正面図、（Ｂ）は右側面図である。
【図５】実施形態の健康安眠整体枕を使用した結果として期待される姿勢の向上の様子を示す説明図である。
【図６】実施形態の健康安眠整体枕の寸法例を示し、（Ａ）は正面図、（Ｂ）は平面図である。
【図７】高い枕の問題点を示す説明図である。
【図８】低い枕の問題点を示す説明図である。
【図９】低い枕の問題点を示す説明図である。
【図１０】悪い姿勢の例を示す説明図である。
【図１１】従来技術を示す説明図である。
【符号の説明】
【００２５】
１・・・健康安眠整体枕
１０・・・中央の部分
１１・・・後頭部載置用窪み
１２，１３・・・中央の部分の最も高い部分
１４・・・頸部に当接する縁部
１５・・・反対側の縁部
１６・・・中央の部分の最も低い部分
２０，３０・・・左右の部分
２１，３１・・・側頭部載置用窪み
２２，３２・・・左右の部分の最も高い部分
２３，３３・・・左右の部分の最も低い部分
【図１】
0003119790.tif 000003
【図２】
0003119790.tif 000004
【図３】
0003119790.tif 000005
【図４】
0003119790.tif 000006
【図５】
0003119790.tif 000007
【図６】
0003119790.tif 000008
【図７】
0003119790.tif 000009
【図８】
0003119790.tif 000010
【図９】
0003119790.tif 000011
【図１０】
0003119790.tif 000012
【図１１】
0003119790.tif 000013